(57)【特許請求の範囲】
【請求項１】
可塑性の基板上に、少なくとも、レーザ光が照射されることでその光学特性が可逆的に変化する記録層と、前記記録層上の保護層と、が積層され、前記レーザ光を用いて記録、再生、消去の行われる光情報記録媒体の初期化方法において、前記積層後の初期化工程で、当該光情報記録媒体の直径よりも大きい大きさの平面部を有するとともに、その中心部にクランプ本体を備えるターンテーブルの前記平面部上に前記光情報記録媒体が搭載された後、透明で前記光情報記録媒体の直径よりも大きい大きさのクランパーが前記クランプ本体に嵌合する状態で前記ターンテーブル上の前記光情報記録媒体上に設置されて、前記光情報記録媒体を前記クランパーと前記ターンテーブルの前記平面部とで固定、保持して回転させ、当該回転する光情報記録媒体に前記クランパーを通してレーザ光を照射して初期化を行うことを特徴とする光情報記録媒体の初期化方法。
【請求項２】
前記光情報記録媒体は、前記基板の前記記録層及び前記保護層が積層された側を上として前記平面部上に載置されることを特徴とする請求項１に記載の光情報記録媒体の初期化方法。
【請求項３】
前記光情報記録媒体の厚さが０．５ｍｍ以下であることを特徴とする請求項１または２に記載の光情報記録媒体の初期化方法。
【請求項４】
可塑性の基板上に、少なくとも、レーザ光が照射されることでその光学特性が可逆的に変化する記録層と、前記記録層上の保護層と、が積層され、前記レーザ光を用いて記録、再生、消去の行われる光情報記録媒体の初期化装置において、前記光情報記録媒体の直径よりも大きい大きさの平面部を有するとともに、その中心部にクランプ本体を備えるターンテーブルと、透明で前記光情報記録媒体の直径よりも大きい大きさのクランパーとを有し、当該ターンテーブルの前記平面部上に載置された前記光情報記録媒体上に前記クランプ本体に嵌合する状態で前記クランパーが設置されて、前記光情報記録媒体を前記クランパーと前記ターンテーブルの前記平面部とで固定、保持して当該ターンテーブルとともに回転させ、当該回転する光情報記録媒体に前記クランパーを通してレーザ光を照射して初期化を行うことを特徴とする光情報記録媒体の初期化装置。
【請求項５】
前記光情報記録媒体は、前記基板の前記記録層及び前記保護層が積層された側を上として前記平面部上に載置されることを特徴とする請求項４に記載の光情報記録媒体の初期化装置。
【請求項６】
前記光情報記録媒体の厚さが０．５ｍｍ以下であることを特徴とする請求項４または５に記載の光情報記録媒体の初期化装置。
【発明の詳細な説明】
【０００１】
【発明の属する技術分野】
本発明は、光情報記録媒体の初期化方法及び光情報記録媒体の初期化装置に関し、詳細には、レーザ等の光により情報の記録・再生を行なうシートを用いた光情報記録媒体を低速で安価かつ適切に初期化する光情報記録媒体の初期化方法及び光情報記録媒体の初期化装置に関する。
【０００２】
【従来の技術】
書換可能な書換型のＣＤ（Compact Disc）やＤＶＤ（Digital Video Disk）等の光ディスク（光情報記録媒体）は、ポリカーボネート等のプラスチックの円盤基板の上に記録層、反射層等を設け、基板面側からレーザ光を入射して、信号の記録、再生を行なう。
【０００３】
近年、コンピューター等で扱う情報量が増加したことから、光ディスクの信号記録容量の増大及び信号情報の高密度化が進んでいる。
【０００４】
このような高記録密度媒体を実現するために、従来から、使用するレーザ波長を青色光領域まで短波長化することや対物レンズの開口数を大きくすることが提案されている。
【０００５】
しかしながら、高記録密度になればなるほど、チルトや面ぶれ等による収差の問題が大きくなる。例えば、現在の市場にでている光ディスクは、ＣＤでは、１．２ｍｍの光透過性の基板を用い、ＤＶＤでは、０．６ｍｍの光透過性基板に、０．６ｍｍの基板を貼り合わせて、１．２ｍｍとしている。これらの硬質の基板を、面振れを無視できる程度に生産することは困難である。
【０００６】
そこで、従来から、可撓性のある光ディスクを高速回転させることによって、空気浮上によって安定した回転を確保し、面振れを抑制することが提案されている。
【０００７】
【発明が解決しようとする課題】
しかしながら、このような光ディスクに書換型の相変化ディスクを用いる場合、初期化方法に問題が生じる。
【０００８】
すなわち、高速回転を与えて面振れを抑制してレーザを照射しても、急冷されてしまい、記録膜を結晶化するのが困難となる。一方、回転を遅くすると、当然、空気浮上が起こらず、フォーカシングできなくなってしまうという問題がある。
【０００９】
そこで、請求項１記載の発明は、可塑性の基板上に、少なくとも、レーザ光が照射されることでその光学特性が可逆的に変化する記録層と記録層上の保護層とが積層され、レーザ光を用いて記録、再生、消去の行われる光情報記録媒体を初期化するに際して、積層後の初期化工程で、当該光情報記録媒体の直径よりも大きい大きさの平面部を有するとともに、その中心部にクランプ本体を備えるターンテーブルの前記平面部上に光情報記録媒体が搭載された後、透明で光情報記録媒体の直径よりも大きい大きさのクランパーがクランプ本体に嵌合する状態でターンテーブル上の光情報記録媒体上に設置されて、光情報記録媒体をクランパーとターンテーブルの平面部とで固定、保持して回転させ、当該回転する光情報記録媒体にクランパーを通してレーザ光を照射して初期化を行うことにより、光ディスク等の光情報記録媒体を低速回転させても、面振れを抑制し、容易かつ適切に初期化することのできる光情報記録媒体の初期化方法を提供することを目的としている。
【００１０】
請求項２記載の発明は、光情報記録媒体は、基板の記録層及び保護層が積層された側を上として平面部上に載置されることにより、容易かつ適切に初期化することのできる光情報記録媒体の初期化方法を提供することを目的としている。
【００１１】
請求項３記載の発明は、光情報記録媒体の厚さが０．５ｍｍ以下であることにより、厚さが０．５ｍｍ以下の光情報記録媒体の初期化方法を提供することを目的としている。
【００１３】
請求項４記載の発明は、可塑性の基板上に、少なくとも、レーザ光が照射されることでその光学特性が可逆的に変化する記録層と記録層上の保護層とが積層され、レーザ光を用いて記録、再生、消去の行われる光情報記録媒体を初期化するに際して、光情報記録媒体の直径よりも大きい大きさの平面部を有するとともに、その中心部にクランプ本体を備えるターンテーブルと、透明で光情報記録媒体の直径よりも大きい大きさのクランパーとを有し、当該ターンテーブルの平面部上に載置された光情報記録媒体上にクランプ本体に嵌合する状態でクランパーが設置されて、光情報記録媒体をクランパーとターンテーブルの平面部とで固定、保持して当該ターンテーブルとともに回転させ、当該回転する光情報記録媒体にクランパーを通してレーザ光を照射して初期化を行うことにより、光ディスク等の光情報記録媒体を低速回転させても、面振れを抑制し、容易かつ適切に初期化することのできる光情報記録媒体の初期化装置を提供することを目的としている。
【００１４】
請求項５記載の発明は、
光情報記録媒体は、基板の記録層及び保護層が積層された側を上として平面部上に載置されることにより、容易かつ適切に初期化することのできる光情報記録媒体の初期化装置を提供することを目的としている。
【００１５】
請求項６記載の発明は、光情報記録媒体の厚さが０．５ｍｍ以下であることにより、厚さが０．５ｍｍ以下の光情報記録媒体の初期化装置を提供することを目的としている。
【００１７】
【課題を解決するための手段】
請求項１記載の発明の光情報記録媒体の初期化方法は、可塑性の基板上に、少なくとも、レーザ光が照射されることでその光学特性が可逆的に変化する記録層と、前記記録層上の保護層と、が積層され、前記レーザ光を用いて記録、再生、消去の行われる光情報記録媒体の初期化方法において、前記積層後の初期化工程で、当該光情報記録媒体の直径よりも大きい大きさの平面部を有するとともに、その中心部にクランプ本体を備えるターンテーブルの前記平面部上に前記光情報記録媒体が搭載された後、透明で前記光情報記録媒体の直径よりも大きい大きさのクランパーが前記クランプ本体に嵌合する状態で前記ターンテーブル上の前記光情報記録媒体上に設置されて、前記光情報記録媒体を前記クランパーと前記ターンテーブルの前記平面部とで固定、保持して回転させ、当該回転する光情報記録媒体に前記クランパーを通してレーザ光を照射して初期化を行うことにより、上記目的を達成している。
【００１８】
上記構成によれば、可塑性の基板上に、少なくとも、レーザ光が照射されることでその光学特性が可逆的に変化する記録層と、記録層上の保護層とが積層され、レーザ光を用いて記録、再生、消去の行われる光情報記録媒体を初期化するに際して、積層後の初期化工程で、当該光情報記録媒体の直径よりも大きい大きさの平面部を有するとともに、その中心部にクランプ本体を備えるターンテーブルの前記平面部上に前記光情報記録媒体が搭載された後、透明で前記光情報記録媒体の直径よりも大きい大きさのクランパーが前記クランプ本体に嵌合する状態で前記ターンテーブル上の前記光情報記録媒体上に設置されて、前記光情報記録媒体を前記クランパーと前記ターンテーブルの前記平面部とで固定、保持して回転させ、当該回転する光情報記録媒体に前記クランパーを通してレーザ光を照射して初期化を行うので、光ディスク等の光情報記録媒体を低速回転させても、面振れを抑制することができ、容易かつ適切に初期化することができる。
【００１９】
この場合、例えば、請求項２に記載するように、光情報記録媒体は、基板の記録層及び保護層が積層された側を上として平面部上に載置される。
【００２０】
上記構成によれば、光情報記録媒体を基板の記録層及び保護層が積層された側を上として平面部上に載置して、容易かつ適切に初期化することができる。
【００２１】
また、例えば、請求項３に記載するように、光情報記録媒体の厚さが０．５ｍｍ以下であってもよい。
【００２２】
上記構成によれば、厚さが０．５ｍｍ以下の光情報記録媒体を、容易かつ適切に初期化することができる。
【００２５】
請求項４記載の発明の光情報記録媒体の初期化装置は、可塑性の基板上に、少なくとも、レーザ光が照射されることでその光学特性が可逆的に変化する記録層と、前記記録層上の保護層と、が積層され、前記レーザ光を用いて記録、再生、消去の行われる光情報記録媒体の初期化装置において、前記光情報記録媒体の直径よりも大きい大きさの平面部を有するとともに、その中心部にクランプ本体を備えるターンテーブルと、透明で前記光情報記録媒体の直径よりも大きい大きさのクランパーとを有し、当該ターンテーブルの前記平面部上に載置された前記光情報記録媒体上に前記クランプ本体に嵌合する状態で前記クランパーが設置されて、前記光情報記録媒体を前記クランパーと前記ターンテーブルの前記平面部とで固定、保持して当該ターンテーブルとともに回転させ、当該回転する光情報記録媒体に前記クランパーを通してレーザ光を照射して初期化を行うことにより、上記目的を達成している。
【００２６】
上記構成によれば、可塑性の基板上に、少なくとも、レーザ光が照射されることでその光学特性が可逆的に変化する記録層と録層上の保護層とが積層され、レーザ光を用いて記録、再生、消去の行われる光情報記録媒体を初期化するに際して、当該光情報記録媒体の直径よりも大きい大きさの平面部を有するとともに、その中心部にクランプ本体を備えるターンテーブルと、透明で光情報記録媒体の直径よりも大きい大きさのクランパーとを有し、当該ターンテーブルの平面部上に載置された光情報記録媒体上にクランプ本体に嵌合する状態で前記クランパーが設置されて、光情報記録媒体を前記クランパーと前記ターンテーブルの前記平面部とで固定、保持して当該ターンテーブルとともに回転させ、当該回転する光情報記録媒体に前記クランパーを通してレーザ光を照射して初期化を行うので、光ディスク等の光情報記録媒体を低速回転させても、面振れを抑制することができ、容易かつ適切に初期化することができる。
【００２７】
この場合、例えば、請求項５に記載するように、光情報記録媒体は、基板の記録層及び保護層が積層された側を上として平面部上に載置される。
【００２８】
上記構成によれば、光情報記録媒体を基板の記録層及び保護層が積層された側を上として平面部上に載置して、容易かつ適切に初期化することができる。
【００２９】
また、例えば、請求項６に記載するように、光情報記録媒体の厚さが０．５ｍｍ以下であってもよい。
【００３０】
上記構成によれば、厚さが０．５ｍｍ以下の光情報記録媒体を、容易かつ適切に初期化することができる。
【００３３】
【発明の実施の形態】
以下、本発明とは異なるが、参考となる実施の形態を添付図面に基づいて詳細に説明する。
【００３４】
図１〜図３は、光情報記録媒体の初期化方法及び光情報記録媒体の初期化装置の参考となる第１の実施の形態を示す図である。
【００３５】
図１は、光情報記録媒体の初期化方法及び光情報記録媒体の初期化装置の参考となる実施の形態の第１の実施の形態を適用した光情報記録媒体初期化装置１の要部正面図であり、光情報記録媒体初期化装置１は、スピンドルモータ２、ターンテーブル３及び照射部の対物レンズ４等を備えている。
【００３６】
ターンテーブル３は、スピンドルモータ２上に搭載され、スピンドルモータ２により所定の回転速度で回転駆動される。
【００３７】
ターンテーブル３は、円盤形状に形成され、その外周縁部に所定幅の凸部３ａが形成されている。ターンテーブル３は、凸部３ａ内の上面（平面部）に、初期化対象の光情報記録媒体であるディスク５が載置され、ターンテーブル３の中心から凸部３ａまでの直径は、光ディスク５の直径、例えば、１２ｃｍと同じ大きさに形成されている。
【００３８】
光ディスク５は、図１の円で囲んだＡ部の拡大図である図２に示すように、シート６上に記録層７と保護層８が順次積層されて形成されて、全体で０．５ｍｍ以下の厚さに形成されており、記録層７側、すなわち、保護層８側を上にして、ターンテーブル３上に載置される。
【００３９】
対物レンズ４は、照射部の光源である半導体レーザ等から出射されたレーザ光を集光して、ターンテーブル３上に載置された光ディスク５の保護層８側から記録層７に照射し、光ディスク５の初期化を行う。
【００４０】
次に、本実施の形態の作用を説明する。本実施の形態の光情報記録媒体初期化装置１は、０．５ｍｍ以下の厚さの光ディスク５を低速回転させても、面ぶれを抑制して、容易かつ適切に光ディスク５の初期化を行うことができるところにその特徴がある。
【００４１】
すなわち、光情報記録媒体初期化装置１は、スピンドルモータ２上にターンテーブル３が搭載され、ターンテーブル３は、スピンドルモータ２により所定の回転速度で回転駆動される。
【００４２】
そして、ターンテーブル３は、円盤形状に形成され、その外周縁部に所定幅の凸部３ａが形成されている。ターンテーブル３は、凸部３ａ内の上面（平面部）に、初期化対象の光情報記録媒体である光ディスク５が載置され、ターンテーブル３の中心から凸部３ａまでの直径は、じび初期化対象の光ディスク５の直径、例えば、１２ｃｍと同じ大きさに形成されている。
【００４３】
光ディスク５は、シート６上に記録層７と保護層８が順次積層されて形成されて、全体で０．５ｍｍ以下の厚さに形成されており、記録層７側、すなわち、保護層８側を上にして、ターンテーブル３上に載置される。
【００４４】
そして、ターンテーブル３は、上述のように、その外周部に凸部３ａが形成されているため、ターンテーブル３上に載置された光ディスク５は、凸部３ａで保持される状態で、ターンテーブル３上に載置される。
【００４５】
光情報記録媒体初期化装置１は、この状態で、スピンドルモータ２によりターンテーブル３を所定の回転速度で回転駆動して、照射部の半導体レーザ等の光源から出射されたレーザ光を、ターンテーブル３とともに回転する光ディスク５の記録層７に保護層８側から対物レンズ４で集光照射して、光ディスク５を初期化する。
【００４６】
このときのレーザ光のレーザパワーは、例えば、６００ｍＷであり、ターンテーブル３とともに回転する光ディスク５は、線速３．０ｍ／ｓｅｃで、送り量３６μｍ／回転で初期化を行う。
【００４７】
このようにすると、初期化対象の光情報記録媒体である光ディスク５を低線速で回転駆動しても、フォーカシングが外れることがなく、安価かつ適切に初期化することができる。
【００４８】
上記光情報記録媒体初期化装置１を使用して、レーザスポットサイズを、９６μｍ、３６μｍ/回転の送り量で、レーザパワー及び線速を変化させて、光ディスク５の初期化を行ない、波長６６０ｎｍ、ＮＡ０．６５のピックアップを使用して、線速度を８．５ｍ/ｓとし、記録周波数を６３．７ＭＨｚとして、この初期化した光ディスク５の評価を行なった。
【００４９】
初期化時のパワー密度（パワー/線速）を変化させたときのオーバーライト後の３Ｔのジッターを評価した結果結果は、図３に示すような結果となった。図３から分かるように、初期化時のパワー密度が、１５０〜３００ｍＷ／ｍ／ｓｅｃのときにジッターが低くなる。このことから、１５０〜３００ｍＷ／ｍ／ｓｅｃの範囲内のパワー密度で初期化を行うことで、アモルファスから結晶になる最適なパワー密度で初期化することができ、記録層７へのダメージが少なく、ジッターを良好なものとすることができる。
【００５０】
図４は、光情報記録媒体の初期化方法及び光情報記録媒体の初期化装置の参考となる第２の実施の形態を適用した光情報記録媒体初期化装置１０の要部正面図である。
【００５１】
なお、本実施の形態は、上記参考となる第１の実施の形態の光情報記録媒体初期化装置１と同様の光情報記録媒体初期化装置に適用したものであり、本実施の形態の説明においては、上記第１の実施の形態の光情報記録媒体初期化装置１と同様の構成部分には、同一の符号を付して、その詳細な説明を省略する。
【００５２】
図４において、本実施の形態の光情報記録媒体初期化装置１０は、スピンドルモータ２により回転駆動されるターンテーブル１１が、その円盤形状の外周縁部に所定幅の凸部１１ａが形成されており、ターンテーブル１１の中心から凸部１１ａまでの直径は、初期化対象の光ディスク５の直径、例えば、１２ｃｍと同じ大きさに形成されている。
【００５３】
そして、ターンテーブル１１の光ディスク５の載置される上面には、中心に近い部分と外周部に近い部分、例えば、中心から１０ｍｍの部分と５８ｍｍの部分に、それぞれスリット（スリット部）１２、１３が形成されており、このスリット１２、１３を通して図示しない真空装置で真空吸引することで、スリット１２、１３に負圧を発生させて、ターンテーブル１１上の光ディスク５をターンテーブル１１に吸着する。
【００５４】
本実施の形態の光情報記録媒体初期化装置１０においては、ターンテーブル１１上に、例えば、直径１２ｃｍの光ディスク５を載せ、スリット１２、１３部分を陰圧（負圧）にすることで、光ディスク５の内外周部をターンテーブル１１に吸着させる。
【００５５】
この状態で、例えば、レーザパワー６００ｍＷのレーザ光を対物レンズ４を通してターンテーブル１１上の光ディスク５に照射して、線速３．０ｍ／ｓｅｃ、送り量３６μｍ／回転で初期化すると、低線速でもフォーカシングが外れることなく、適切に初期化を行うことができる。
【００５６】
このように、本実施の形態の光情報記録媒体初期化装置１０は、ターンテーブル１１の平面部の内周部分と外周部分の所定位置にスリット１２、１３を形成し、スリット１２、１３を負圧状態にして、ターンテーブル１１上の光ディスク５を吸着固定している。
【００５７】
したがって、光ディスク５の回転を安定化させて、光ディスク５を低速回転させたときの面振れをより一層抑制することができ、均一な結晶化を行って、容易かつより一層適切に初期化することができる。
【００５８】
図５は、本発明の光情報記録媒体の初期化方法及び光情報記録媒体の初期化装置の実施の形態を適用した光情報記録媒体初期化装置２０の要部正面図である。
【００５９】
なお、本実施の形態は、上記参考となる第１の実施の形態の光情報記録媒体初期化装置１と同様の光情報記録媒体初期化装置に適用したものであり、本実施の形態の説明においては、上記参考となる第１の実施の形態の光情報記録媒体初期化装置１と同様の構成部分には、同一の符号を付して、その詳細な説明を省略する。
【００６０】
図５において、本実施の形態の光情報記録媒体初期化装置２０は、スピンドルモータ２により回転駆動されるターンテーブル２１が、その円盤形状の外周縁部に所定幅の凸部２１ａが形成されており、ターンテーブル２１の中心から凸部２１ａまでの直径は、初期化対象の光ディスク５の直径、例えば、１２ｃｍよりも多少大きい大きさ、例えば、１３ｃｍに形成されている。
【００６１】
そして、ターンテーブル２１の中心部に、所定の大きさ、例えば、直径が１５ｍｍのクランプ本体２２が設けられており、光情報記録媒体初期装置２０は、ターンテーブル２１上に載せられた光ディスク５を透明なクランパー２３をクランプ本体２２に嵌合させて、光ディスク５をクランパー２３とターンテーブル２１との間にクランプして保持する。このクランパー２３は、ターンテーブル２１の中心から凸部２１ａまでの直径と同じ大きさ、例えば、１３ｃｍの大きさに形成されている。
【００６２】
本実施の形態の光情報記録媒体初期化装置２０は、例えば、直径１２ｃｍの光ディスク５をクランプ本体２２によってターンテーブル２１の中心に載せ、光ディスク５の上に、例えば、直径１３ｃｍの透明なクランパー２３をクランプ本体２２に嵌合させて、光ディスク５を、透明なクランパー２３とターンテーブル２１との間にクランプして保持する。
【００６３】
この状態で、例えば、レーザパワー６００ｍＷのレーザ光を対物レンズ４を通してターンテーブル２１上の光ディスク５の記録層７に、透明なクランパー２３を通して照射して、線速３．０ｍ／ｓｅｃ、送り量３６μｍ／回転で初期化すると、低線速でもフォーカシングが外れることなく、適切に初期化を行うことができる。
【００６４】
このように、本実施の形態の光情報記録媒体初期化装置２０は、ターンテーブル２１を、平面部が光ディスク５の大きさよりも所定量だけ大きく形成し、その中心部にクランプ本体２２を備え、光ディスク５がターンテーブル２１上に載置された後、透明で平面部の大きさと略同等の大きさのクランパー２３をクランプ本体２２に嵌合する状態でターンテーブル２１上の光ディスク５上に設置して、光ディスク５をクランパー２３でターンテーブル２１の平面上に固定している。
【００６５】
したがって、光ディスク５の回転を安定化させて、光ディスク５を低速回転させたときの面振れをより一層抑制することができ、容易かつより一層適切に初期化することができる。
【００６６】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００６７】
【発明の効果】
請求項１記載の発明の光情報記録媒体の初期化方法によれば、可塑性の基板上に、少なくとも、レーザ光が照射されることでその光学特性が可逆的に変化する記録層と記録層上の保護層と積層され、レーザ光を用いて記録、再生、消去の行われる光情報記録媒体を初期化するに際して、積層後の初期化工程で、当該光情報記録媒体の直径よりも大きい大きさの平面部を有するとともに、その中心部にクランプ本体を備えるターンテーブルの平面部上に光情報記録媒体が搭載された後、透明で光情報記録媒体の直径よりも大きい大きさのクランパーがクランプ本体に嵌合する状態でターンテーブル上の光情報記録媒体上に設置されて、光情報記録媒体を前記クランパーとターンテーブルの前記平面部とで固定、保持して回転させ、当該回転する光情報記録媒体にクランパーを通してレーザ光を照射して初期化を行うので、光ディスク等の光情報記録媒体を低速回転させても、面振れを抑制することができ、容易かつ適切に初期化することができる。
【００６８】
請求項２記載の発明の光情報記録媒体の初期化方法によれば、光情報記録媒体を、基板の記録層及び保護層が積層された側を上として平面部上に載置して、容易かつ適切に初期化することができる。
【００６９】
請求項３記載の発明の光情報記録媒体の初期化方法によれば、厚さが０．５ｍｍ以下の光情報記録媒体を、容易かつ適切に初期化することができる。
【００７１】
請求項４記載の発明の光情報記録媒体の製造装置によれば、可塑性の基板上に、少なくとも、レーザ光が照射されることでその光学特性が可逆的に変化する記録層と録層上の保護層とが積層され、レーザ光を用いて記録、再生、消去の行われる光情報記録媒体を初期化するに際して、当該光情報記録媒体の直径よりも大きい大きさの平面部を有するとともに、その中心部にクランプ本体を備えるターンテーブルと、透明で光情報記録媒体の直径よりも大きい大きさのクランパーとを有し、当該ターンテーブルの平面部上に載置された光情報記録媒体上にクランプ本体に嵌合する状態で前記クランパーが設置されて、光情報記録媒体を前記クランパーと前記ターンテーブルの前記平面部とで固定、保持して当該ターンテーブルとともに回転させ、当該回転する光情報記録媒体に前記クランパーを通してレーザ光を照射して初期化を行うので、光ディスク等の光情報記録媒体を低速回転させても、面振れを抑制することができ、容易かつ適切に初期化することができる。
【００７２】
請求項５記載の発明の光情報記録媒体の製造装置によれば、光情報記録媒体を、基板の記録層及び保護層が積層された側を上として平面部上に載置して、容易かつ適切に初期化することができる。
【００７３】
請求項６記載の発明の光情報記録媒体の初期化方法によれば、厚さが０．５ｍｍ以下の光情報記録媒体を、容易かつ適切に初期化することができる。
【図面の簡単な説明】
【図１】  光情報記録媒体の初期化方法及び光情報記録媒体の初期化装置の参考となる第１の実施の形態を適用した光情報記録媒体初期化装置の要部正面図。
【図２】  図１のＡ部の正面拡大断面図。
【図３】  図１の光情報記録媒体初期化装置による初期化時のパワー密度（パワー/線速）を変化させたときのオーバーライト後の３Ｔのジッターを評価した結果を示す図。
【図４】  光情報記録媒体の初期化方法及び光情報記録媒体の初期化装置の参考となる第２の実施の形態を適用した光情報記録媒体初期化装置の要部正面図。
【図５】  本発明の光情報記録媒体の初期化方法及び光情報記録媒体の初期化装置の実施の形態を適用した光情報記録媒体初期化装置の要部正面図。
【符号の説明】
１ 光情報記録媒体初期化装置
２ スピンドルモータ
３ ターンテーブル
３ａ 凸部
４ 対物レンズ
５ 光ディスク
６ シート
７ 記録層
８ 保護層
１０ 光情報記録媒体初期化装置
１１ ターンテーブル
１１ａ 凸部
１２、１３ スリット
２０ 光情報記録媒体初期化装置
２１ ターンテーブル
２１ａ 凸部
２２ クランプ本体
２３ クランパー
【図１】
0004551033.tif 000002
【図２】
0004551033.tif 000003
【図３】
0004551033.tif 000004
【図４】
0004551033.tif 000005
【図５】
0004551033.tif 000006